(57)【要約】【課題】ペアリングの所定期間を超えることによってネットワークを介したコンテンツの配信ができなくなることをユーザにとって利便性の高い方法で未然に防止できるコンテンツ配信装置等を提供する。【解決手段】ネットワークを介してコンテンツ再生装置に対してコンテンツを配信する通信部と、前記コンテンツ再生装置との間で互いの識別情報を関連付けるペアリング処理が行われてペアリングが確立された後、前記ペアリングの所定期間が経過する前に所定の条件において前記コンテンツ再生装置との間でペアリング処理を再度行う制御部と、を備えるコンテンツ配信装置としている。【選択図】図２
2017022562.tif 000002
【特許請求の範囲】
【請求項１】
ネットワークを介してコンテンツ再生装置に対してコンテンツを配信する通信部と、
前記コンテンツ再生装置との間で互いの識別情報を関連付けるペアリング処理が行われてペアリングが確立された後、前記ペアリングの所定期間が経過する前に所定の条件において前記コンテンツ再生装置との間でペアリング処理を再度行う制御部と、を備えるコンテンツ配信装置。
【請求項２】
前記制御部は、所定時刻になったことを検知すると自機の電源をオンとさせ、ペアリング処理の履歴に基づき前記コンテンツ再生装置との通信可否を確認し、通信可能である場合にペアリング処理を行うことを特徴とする請求項１に記載のコンテンツ配信装置。
【請求項３】
前記制御部は、前記コンテンツ再生装置と通信不可の場合、所定終了時刻となったことを検知すると、ペアリング処理を行わずに自機の電源をオフとさせることを特徴とする請求項２に記載のコンテンツ配信装置。
【請求項４】
前記所定時刻から前記所定終了時刻までの時間帯は、操作部の操作によって設定可能であることを特徴とする請求項３に記載のコンテンツ配信装置。
【請求項５】
前記制御部は、前記コンテンツ再生装置とペアリング処理を行ったときの時刻に基づいて前記所定時刻から前記所定終了時刻までの時間帯を設定することを特徴とする請求項３に記載のコンテンツ配信装置。
【請求項６】
前記制御部は、前記コンテンツ再生装置とペアリング処理を行ったときに使用された通信装置への前記コンテンツ再生装置の接続時刻に基づいて前記所定時刻から前記所定終了時刻までの時間帯を設定することを特徴とする請求項３に記載のコンテンツ配信装置。
【請求項７】
有効期限までの残り時間が所定の閾値より少なくなると、前記制御部は前記所定時刻になったことを検知する処理を開始することを特徴とする請求項２〜請求項６のいずれか１項に記載のコンテンツ配信装置。
【請求項８】
有効期限までの残り時間に応じて、前記所定時刻の時間間隔が調整されることを特徴とする請求項２〜請求項６のいずれか１項に記載のコンテンツ配信装置。
【請求項９】
前記ペアリング処理は、閉じられたネットワークを介して前記コンテンツ再生装置との間で行われ、前記コンテンツ配信は、前記閉じられたネットワークと接続されたインターネットを介して行われることを特徴とする請求項１〜請求項８のいずれか１項に記載のコンテンツ配信装置。
【請求項１０】
ネットワークを介してコンテンツ配信装置から配信されたコンテンツを再生する再生部と、
前記コンテンツ配信装置との間で互いの識別情報を関連付けるペアリング処理が行われてペアリングが確立された後、前記ペアリングの所定期間が経過する前に所定の条件において前記コンテンツ配信装置との間でペアリング処理を再度行う制御部と、を備えるコンテンツ再生装置。
【請求項１１】
前記制御部は、以前に前記コンテンツ配信装置とペアリング処理を行ったときに使用された通信装置と自機が接続されたことを検知すると、電源をオンとさせるべく前記コンテンツ配信装置にコマンドを送信し、ペアリング処理を行うことを特徴とする請求項１０に記載のコンテンツ再生装置。
【請求項１２】
前記制御部は、前記通信装置と自機が接続されていなくても、前記通信装置と同じブロードキャストドメインの通信装置と自機が接続されたことを検知すると、前記コマンドを送信してペアリング処理を行うことを特徴とする請求項１１に記載のコンテンツ再生装置。
【請求項１３】
前記ペアリング処理は、閉じられたネットワークを介して前記コンテンツ配信装置との間で行われ、前記コンテンツ配信は、前記閉じられたネットワークと接続されたインターネットを介して行われることを特徴とする請求項１０〜請求項１２のいずれか１項に記載のコンテンツ再生装置。
【発明の詳細な説明】
【技術分野】
【０００１】
本発明は、コンテンツ配信装置とコンテンツ再生装置に関する。
【背景技術】
【０００２】
昨今、著作権保護規格の策定やライセンシングを行なう団体「ＤＴＬＡ」(Digital Transmission Licensing Administrator)が策定するデジタルコンテンツの著作権保護方式「ＤＴＣＰ−ＩＰ」の新しいバージョンである「ＤＴＣＰ＋」や、次世代放送推進フォーラム次世代スマートTV関連委員会が策定した「デジタル放送受信機におけるリモート視聴要件(NEXTVF TR-0001)」といった規格が規定されたことで、現在放送中の番組や録画された番組を宅外においてインターネット経由で視聴することのできる所謂リモート視聴が実現されつつある。
【０００３】
これらの規格に対応した親機である例えば録画装置、テレビ受像機、ＮＡＳ（ネットワークストレージ）から、上記規格に対応した子機である例えば携帯端末（スマートフォンなど）へインターネットを介して現在放送中の放送番組や録画番組であるコンテンツを宅外配信することで、ユーザは外出先で子機によってコンテンツを視聴することができる。
【先行技術文献】
【特許文献】
【０００４】
【特許文献１】特開２０１３−６２７８６号公報
【発明の概要】
【発明が解決しようとする課題】
【０００５】
上記宅外配信によるリモート視聴を行うには、宅内のＬＡＮ（ローカルエリアネットワーク）に接続された親機と子機の間でペアリング処理（互いの識別情報を関連付ける処理）を予め行っておく必要がある。ペアリング処理は、ユーザによる機器の操作を介して行われる。ここで、ペアリング処理により確立されたペアリングには有効期限があり、上記規格では有効期限は３か月と規定されている。
【０００６】
有効期限を経過するとペアリングは無効となるので宅外配信が不可能となり、再度宅内においてペアリング処理が必要となる。ユーザが有効期限経過前にペアリング処理を機器間で行わせることを忘れると、外出先で宅外配信ができないことにユーザが気づくことが考えられるが、宅外ではペアリング処理を行わせることはできないので、ユーザにとって不便である。また、有効期限経過前にペアリング処理を行わせる場合に、ペアリング処理のためのユーザ操作は複雑なものではないが、できれば省きたい作業でもある。
【０００７】
なお、特許文献１には、チューナとディスプレイなどの各機器を宅内で接続することについては開示されているが、ペアリングの有効期限に関するものではない。
【０００８】
上記状況に鑑み、本発明は、ペアリングの所定期間を超えることによってネットワークを介したコンテンツの配信ができなくなることをユーザにとって利便性の高い方法で未然に防止できるコンテンツ配信装置、及びコンテンツ再生装置を提供することを目的とする。
【課題を解決するための手段】
【０００９】
上記目的を達成するために本発明の一態様に係るコンテンツ配信装置は、ネットワークを介してコンテンツ再生装置に対してコンテンツを配信する通信部と、
前記コンテンツ再生装置との間で互いの識別情報を関連付けるペアリング処理が行われてペアリングが確立された後、前記ペアリングの所定期間が経過する前に所定の条件において前記コンテンツ再生装置との間でペアリング処理を再度行う制御部と、を備える構成としている（第１の構成）。
【００１０】
また、上記第１の構成において、前記制御部は、所定時刻になったことを検知すると自機の電源をオンとさせ、ペアリング処理の履歴に基づき前記コンテンツ再生装置との通信可否を確認し、通信可能である場合にペアリング処理を行うこととしてもよい（第２の構成）。
【００１１】
このような構成によれば、自機の電源がオフであっても、所定時刻になると電源がオンとされ、ペアリング処理が自動的に行われる。特に自機がWake-On-LAN機能などの外部から電源をオンとさせる機能を備えていない場合に有効である。
【００１２】
また、上記第２の構成において、前記制御部は、前記コンテンツ再生装置と通信不可の場合、所定終了時刻となったことを検知すると、ペアリング処理を行わずに自機の電源をオフとさせることとしてもよい（第３の構成）。このような構成によれば、省電力の効果を奏することができる。
【００１３】
また、上記第３の構成において、前記所定時刻から前記所定終了時刻までの時間帯は、操作部の操作によって設定可能であることとしてもよい（第４の構成）。
【００１４】
このような構成によれば、ユーザがコンテンツ再生装置を使用する習慣に応じて適切な時間帯を手動で設定でき、再度のペアリング処理を行い易くできる。
【００１５】
また、上記第３の構成において、前記制御部は、前記コンテンツ再生装置とペアリング処理を行ったときの時刻に基づいて前記所定時刻から前記所定終了時刻までの時間帯を設定することとしてもよい（第５の構成）。
【００１６】
このような構成によれば、ユーザがコンテンツ再生装置を使用する習慣に応じて適切な時間帯が自動的に設定され、再度のペアリング処理を行い易くできる。
【００１７】
また、上記第３の構成において、前記制御部は、前記コンテンツ再生装置とペアリング処理を行ったときに使用された通信装置への前記コンテンツ再生装置の接続時刻に基づいて前記所定時刻から前記所定終了時刻までの時間帯を設定することとしてもよい（第６の構成）。このような構成によれば、第５の構成と同様の効果を奏する。
【００１８】
また、上記第２〜第６のいずれかの構成において、有効期限までの残り時間が所定の閾値より少なくなると、前記制御部は前記所定時刻になったことを検知する処理を開始することとしてもよい（第７の構成）。
【００１９】
このような構成によれば、有効期限が近付くと強制的に再度のペアリング処理を行うことが可能となる。
【００２０】
また、上記第２〜第６のいずれかの構成において、有効期限までの残り時間に応じて、前記所定時刻の時間間隔が調整されることとしてもよい（第８の構成）。
【００２１】
このような構成によれば、有効期限が近付くにつれ所定時刻の時間間隔を短くすることができ、再度のペアリング処理を行い易くできる。
【００２２】
また、上記第１〜第８のいずれかの構成において、前記ペアリング処理は、閉じられたネットワークを介して前記コンテンツ再生装置との間で行われ、前記コンテンツ配信は、前記閉じられたネットワークと接続されたインターネットを介して行われることとしてもよい（第９の構成）。
【００２３】
このような構成によれば、有効期限切れによって宅外配信機能が使用できなくなり、外出先にてコンテンツ再生装置でコンテンツを視聴できないことを未然に防止できる。
【００２４】
また、上記目的を達成するために本発明の他の態様に係るコンテンツ再生装置は、ネットワークを介してコンテンツ配信装置から配信されたコンテンツを再生する再生部と、
前記コンテンツ配信装置との間で互いの識別情報を関連付けるペアリング処理が行われてペアリングが確立された後、前記ペアリングの所定期間が経過する前に所定の条件において前記コンテンツ配信装置との間でペアリング処理を再度行う制御部と、を備える構成としている（第１０の構成）。
【００２５】
また、上記第１０の構成において、前記制御部は、以前に前記コンテンツ配信装置とペアリング処理を行ったときに使用された通信装置と自機が接続されたことを検知すると、電源をオンとさせるべく前記コンテンツ配信装置にコマンドを送信し、ペアリング処理を行うこととしてもよい（第１１の構成）。
【００２６】
このような構成によれば、コンテンツ配信装置の電源がオフであっても電源をオンとさせ、ペアリング処理を自動的に行うことができる。
【００２７】
また、上記第１１の構成において、前記制御部は、前記通信装置と自機が接続されていなくても、前記通信装置と同じブロードキャストドメインの通信装置と自機が接続されたことを検知すると、前記コマンドを送信してペアリング処理を行うこととしてもよい（第１２の構成）。
【００２８】
このような構成によれば、以前にコンテンツ配信装置とペアリング処理を行ったときに使用された通信装置と同じブロードキャストドメインの通信装置に自機が接続されたときに、上記各通信装置を介して電源をオンとさせるコマンドをコンテンツ配信装置に送信できる。
【００２９】
また、上記第１０〜第１２のいずれかの構成において、前記ペアリング処理は、閉じられたネットワークを介して前記コンテンツ配信装置との間で行われ、前記コンテンツ配信は、前記閉じられたネットワークと接続されたインターネットを介して行われることとしてもよい（第１３の構成）。
【００３０】
このような構成によれば、有効期限切れによって宅外配信機能が使用できなくなり、外出先にてコンテンツ再生装置でコンテンツを視聴できないことを未然に防止できる。
【発明の効果】
【００３１】
本発明によると、ペアリングの所定期間を超えることによってネットワークを介したコンテンツの配信ができなくなることをユーザにとって利便性の高い方法で未然に防止できる。
【図面の簡単な説明】
【００３２】
【図１】本発明の一実施形態に係るコンテンツ宅外配信システムの全体構成を示す図である。
【図２】本発明の一実施形態に係る録画装置とスマートフォンの各構成を示すブロック図である。
【図３】本発明の自動ペアリング処理に係る第１実施形態に関するフローチャートである。
【図４】本発明の自動ペアリング処理に係る第２〜第５実施形態に関するフローチャートである。
【図５】本発明の自動ペアリング処理に係る第３実施形態における時間帯設定の一例を示す図である。
【図６】本発明の変形実施形態に係る録画装置とスマートフォンの各構成を示すブロック図である。
【発明を実施するための形態】
【００３３】
以下に本発明の一実施形態について図面を参照して説明する。
【００３４】
＜本実施形態の構成について＞
まず、本発明の一実施形態に係るコンテンツ宅外配信システムの全体構成を図１に示す。図１に示すコンテンツ宅外配信システムは、親機の一例である録画装置１と、例えばＷｉ−Ｆｉに準拠した無線アクセスポイント２０と、インターネット２１と、無線アクセスポイント２２と、サーバ２３と、子機の一例であるスマートフォン１１を備えている。
【００３５】
宅内の無線アクセスポイント２０に接続された親機（コンテンツ配信装置）である録画装置１は、ルータ機能付きの無線アクセスポイント２０、宅外にあるインターネット２１及び無線アクセスポイント２２を介して、子機（コンテンツ再生装置）であるスマートフォン１１にコンテンツを配信する。スマートフォン１１では配信されたコンテンツを再生する。
【００３６】
上記のような宅外配信を行うには、宅内における録画装置１及びスマートフォン１１を無線アクセスポイント２０に接続して構成されるＬＡＮ（同じブロードキャストドメイン）において録画装置１とスマートフォン１１間でペアリング処理（互いの識別情報を関連付ける処理）を予め行う必要がある。ペアリング処理によってサーバ２３には、録画装置１とスマートフォン１１の各識別情報が対応付けられて記憶されてペアリングが確立される。
【００３７】
サーバ２３において、上記対応付けられた識別情報には更にリセットされた経過時間が記憶される。時間が進み、当該経過時間が所定の有効期限（本発明の所定期間の一例、例えば３か月）以内であれば、録画装置１からスマートフォン１１への宅外配信が許可されるが、上記経過時間が上記有効期限を超えると宅外配信が許可されなくなる。
【００３８】
録画装置１及びスマートフォン１１のより具体的な構成を示すブロック図を図２に示す。なお、図２は、録画装置１及びスマートフォン１１が宅内にある場合を示す。
【００３９】
図２に示す録画装置１は、チューナ部２、データ処理部３、記録部４、出力部５、操作部６、記憶部７、通信部８、電源部９、及び制御部１０を備えている。録画装置１は、不図示のアンテナやモニタ、或いはテレビ受像機に電気的に接続され、テレビ放送の録画や再生のために利用される。
【００４０】
チューナ部２は、テレビ放送局から提供される放送信号の受信に利用される。チューナ部２は、不図示のアンテナから受信した放送信号の選局及び復調を行う。
【００４１】
データ処理部３は、チューナ部２から受け取った放送信号に基づいて映像音声信号を生成し、当該信号を記録部４または出力部５に送信する。また、データ処理部３は、記録部４の録画コンテンツに対して再生処理を行い、処理後の映像音声信号を出力部５に送信もする。
【００４２】
記録部４は、チューナ部２及びデータ処理部３を介して取得した映像音声信号（放送番組）を録画コンテンツとして記録する。記録部４は、ＨＤＤ（ハードディスクドライブ）や光ディスク装置などからなり、録画装置１に内蔵されているもののほか、外付けされているものでもよい。
【００４３】
出力部５は、データ処理部３から受け取った映像音声信号や、メニュー画面、電子番組表等のＯＳＤ（オンスクリーンディスプレイ）画像データを外部に出力する。出力部５の出力信号は録画装置１に電気的に接続される例えばモニタやテレビ受像機に送出される。モニタやテレビ受像機は、出力部５の出力信号に基づく映像及びＯＳＤ画像を自身の画面に表示させ、音声をスピーカから出力させる。
【００４４】
操作部６は、録画装置１の筐体表面や不図示のリモコンに設けられた各種操作キーを備える。例えば、操作部６は、ユーザによる番組の録画や録画番組の再生に係る操作、電子番組表や録画予約などに係る操作を受け付ける。
【００４５】
制御部１０は、不図示の演算部やその他の電子部品で構成され、記憶部７等に予め記憶、入力されたプログラム、データに基づき録画装置１の各部を統括的に制御する。
【００４６】
記憶部７は、制御部１０が利用する上記プログラムやデータの他、ＥＰＧ（電子番組表）情報や、記録部４に対する録画予約内容を記憶する。通信部８は、宅内の無線アクセスポイント２０との間で無線通信を行う。電源部９は、録画装置１の各部に電源を供給する回路であり、制御部１０によってオンオフ制御される。
【００４７】
通信部１２は、移動通信網における基地局に対し無線通信を行う。この無線通信を用いて、音声データ、映像データ、電子メールデータ等の送受信や、Ｗｅｂデータやストリーミングデータ等の受信を行う。
【００４８】
カメラ部１３は、ＣＭＯＳイメージセンサーなどの撮像素子を用いて電子撮像するものであり、撮像された画像を例えばＪＰＥＧ形式で圧縮し、圧縮データを記憶部１７に記憶させることができる。
【００４９】
表示部１４は、例えば液晶パネルとバックライトから構成され、各種画像が表示される。音声入出力部１５は、入力される周囲の音声を集音して電気信号に変換して出力したり、入力される音声信号を音声に変換して外部に出力したりする。
【００５０】
操作部１６は、スマートフォン１１の筐体に配される電源操作や音量操作などの各種操作のためのキーや、表示部１４の例えば液晶パネルの表面に配されるタッチパネルから構成される。
【００５１】
記憶部１７は、制御部１９のための制御プログラムや制御データ、通信相手の名称や電話番号などを対応づけたアドレスデータ、送受信した電子メールデータ、ＷｅｂブラウジングによりダウンロードしたＷｅｂデータや、ダウンロードしたコンテンツデータを記憶し、またストリーミングデータなどを一時的に記憶するものである。なお、記憶部１７は、例えばフラッシュメモリ、ＲＡＭ、ＲＯＭなどにより構成される。通信部１８は、室内の無線アクセスポイント２０との間で無線通信を行う。なお、通信部１８は、スマートフォン１１が宅外にある場合は、無線アクセスポイント２２（図１）とも無線通信が可能である。
【００５２】
制御部１９は、記憶部１７に記憶された制御プログラムや制御データに従って動作し、スマートフォン１１の各部を統括制御するものである。
【００５３】
＜ペアリング処理及び宅外配信について＞
このような構成である録画装置１とスマートフォン１１による宅内でのペアリング処理の流れとしては例えば次のようになる。ここで、スマートフォン１１の記憶部１７には、リモート視聴用の専用アプリケーションが予め記憶されている。当該アプリケーションは、例えば通信部１２によってダウンロードされる。
【００５４】
まず、録画装置１において出力部５からの出力によりモニタ等に表示された画面に従って操作部６を操作することで、制御部１０をペアリング処理が実行可能な状態とする。そして、スマートフォン１１において操作部１６の操作により上記アプリケーションを制御部１９が起動させる。制御部１９は、通信部１８を用いて、無線アクセスポイント２０に接続されている機器に対して識別情報を含めた機器情報を返信するようブロードキャストで要求する。録画装置１の制御部１０は、通信部８を介して上記要求を受けると、通信部８を用いて録画装置１の識別情報を含む機器情報を通信部１８へ送る。
【００５５】
制御部１９は通信部１８より受け取った機器情報に基づき表示部１４に機器の型番などを表示させる（即ち、録画装置１の情報が表示される）。ここで、表示された録画装置１の型番などが操作部１６によって選択されると、上記受け取った機器情報に含まれる識別情報を記憶部１７に記憶させる。そして、制御部１９は、スマートフォン１１の識別情報を通信部１８を用いて通信部８に送り、制御部１０は、受け取ったスマートフォン１１の識別情報を記憶部７に記憶させる。これにより、録画装置１とスマートフォン１１は互いに識別情報を認識し合うこととなる。
【００５６】
そして、例えばスマートフォン１１の制御部１９は、録画装置１とスマートフォン１１の各識別情報を通信部１８を用いて、無線アクセスポイント２０及びインターネット２１を介してサーバ２３へ送る（図１）。サーバ２３は送られた各識別情報を対応付けて記憶する。これにより、ペアリングが確立される。このとき、サーバ２３は、上記各識別情報に対応付けてリセットした経過時間を記憶する。以降、時間が進むにつれ、経過時間が変化する。なお、経過時間の代わりに、有効期限までの残り時間を記憶させてもよい。
【００５７】
このようにペアリングが確立された後、スマートフォン１１を宅外で無線アクセスポイント２２に接続し、上記アプリケーションを起動させる。すると、制御部１９は、通信部１８を用いて、無線アクセスポイント２２及びインターネット２１を介してサーバ２３へ録画装置１とスマートフォン１１の各識別情報を送る。
【００５８】
サーバ２３は、送られた各識別情報と一致する自機に記憶された識別情報の組があるか確認し、もしあれば、対応する経過時間が有効期限を超えているか否かを判定する。もし超えていない場合は、サーバ２３は宅外配信を許可すべく、インターネット２１及び無線アクセスポイント２０を介して録画装置１にスマートフォン１１へのコンテンツ配信を要求する。
【００５９】
これにより、要求を受けた録画装置１の制御部１０は、記録部４に記録された録画コンテンツ又はチューナ部２により受信された放送中の放送番組コンテンツを通信部８を用いて無線アクセスポイント２０、インターネット２１及び無線アクセスポイント２２を介してスマートフォン１１へ配信することを開始させる。
【００６０】
このように宅外配信されて通信部１８によって取得されたコンテンツは、表示部１４及び音声入出力部１５から映像及び音声として出力され、コンテンツ再生が行われる。これにより、ユーザは外出先にてスマートフォン１１によって録画装置１のコンテンツを視聴できる。
【００６１】
一方、サーバ２３は、上記経過時間が有効期限を超えていると判定した場合は、録画装置１へコンテンツ配信の要求は行わず、宅外配信は許可されない。このとき、サーバ２３は、経過時間が有効期限を超えている旨をスマートフォン１１へ送信し、スマートフォン１１の表示部１４などによりその旨をユーザに報知させる。
【００６２】
＜自動ペアリング処理に係る第１実施形態＞
上記のような手動によるペアリングの確立後に有効期限を経過すると宅外配信ができなくなるので、これを未然に防止すべく以下のような自動的なペアリング処理を実行することとしている。ここでは、その第１実施形態について図３に示すフローチャートを用いて説明する。図３は、スマートフォン１１側が行う処理を示す。
【００６３】
まず、スマートフォン１１が或るアクセスポイントに接続した場合に（ステップＳ１のＹ）、ステップＳ２に進み、制御部１９は接続したアクセスポイントが以前に録画装置１とペアリング処理を行ったときの無線アクセスポイント２０であるか否かを判定する。これは、上記のように手動によるペアリング処理を実行したときに無線アクセスポイント２０の識別情報を記憶部１７で記憶させるので判定が可能となる。
【００６４】
以前にペアリング処理を行ったときの無線アクセスポイント２０に接続されていると判定された場合（ステップＳ２のＹ）、ステップＳ４に進む。
【００６５】
ここで録画装置１はWake-ON-LAN機能に対応している。Wake-ON-LAN機能とは、ＬＡＮに接続されている機器の電源を遠隔からオンとする機能であり、マジックパケットと呼ばれる特定のデータパケットを送信することで行う。ステップＳ４で、制御部１９は、通信部１８を用いて無線アクセスポイント２０を介して通信部８にマジックパケットを送信し、録画装置１の電源をオンとさせる。このとき、電源部９が制御部１０によりオンとされる。
【００６６】
そして、ステップＳ５で、制御部１９は、通信部１８を用いて無線アクセスポイント２０を介して録画装置１に識別情報の送信を要求し、要求を受けた制御部１０は録画装置１の識別情報を通信部８を用いてスマートフォン１１に送信し、制御部１９は取得した識別情報を記憶部１７に記憶させる。そして、制御部１９が通信部１８を用いてスマートフォン１１の識別情報を録画装置１へ送信し、制御部１０は取得した識別情報を記憶部７に記憶させる。そして、例えばスマートフォン１１の制御部１９は、録画装置１とスマートフォン１１の各識別情報を無線アクセスポイント２０及びインターネット２１を介してサーバ２３に送信する。すると、サーバ２３は、送信された各識別情報の組に対応して記憶された経過時間をリセットする。
【００６７】
このようにステップＳ５で再度ペアリング処理が行われてペアリングが確立され、経過時間がリセットされる。これにより、前回のペアリング確立から有効期限の経過前にスマートフォン１１を無線アクセスポイント２０に接続すれば、Wake-On-LAN機能によって録画装置１の電源を起動させ、自動的に再度ペアリング処理がされて、経過時間がリセットされる。従って、有効期限が実質的に延長されたこととなり、有効期限切れにより宅外配信機能が使用できなくなることを未然に防止できる。また、再度ペアリング処理するのにユーザによる手動操作は必要ないので、ユーザにとっての利便性が高い。
【００６８】
また、ステップＳ２で、接続したアクセスポイントが以前にペアリング処理を行ったときの無線アクセスポイント２０でない場合は（ステップＳ２のＮ）、ステップＳ３に進む。ステップＳ３で、制御部１９は、接続されているアクセスポイントが、以前にペアリング処理をしたときのアクセスポイントと同じブロードキャストドメインのアクセスポイントであるか否かを判定する。ここでは、例えば制御部１９は、通信部１８を用いて現在接続されているアクセスポイントを介してブロードキャストによって以前にペアリング処理をしたときのアクセスポイントの識別情報を送信し、識別情報を有する機器から返信があるかによって判定する。
【００６９】
もし以前にペアリング処理をしたときのアクセスポイント（無線アクセスポイント２０）から返信があった場合（ステップＳ３のＹ）、ステップＳ４に進み、制御部１９は、録画装置１の電源をオンとすべくマジックパケットを現在接続中のアクセスポイントを介して送信する。一方、以前にペアリング処理をしたときのアクセスポイント（無線アクセスポイント２０）から返信がない場合は（ステップＳ３のＮ）、そのまま処理は終了する（エンド）。これにより、以前にペアリング処理をしたときのアクセスポイントのみならず、同じブロードキャストドメインのアクセスポイントに接続した場合でも自動的にペアリング処理がなされる。
【００７０】
＜自動ペアリング処理に係る第２実施形態＞
次に、自動ペアリング処理の第２実施形態について図４に示すフローチャートを用いて説明する。図４は、録画装置１側で行われる処理を示す。
【００７１】
まず、ステップＳ１１で、録画装置１の制御部１０は、所定の時刻になったか否かを判定する。ここで、所定の時刻とは、例えば１時間ごとのタイミングの時刻とする。
【００７２】
次に、ステップＳ１２で、制御部１０は電源部９をオンとさせる。そして、ステップＳ１３で、制御部１０は、以前にペアリング処理をしたスマートフォン１１と通信可能であるかを判定する。このとき、制御部１０は、スマートフォン１１の識別情報を通信部８を用いて無線アクセスポイント２０を介して送信し、当該識別情報を有した機器からの返信が有るかを判定する。
【００７３】
もし返信があった場合（ステップＳ１３のＹ）、ステップＳ１４に進み、制御部１０は、通信部８を用いてスマートフォン１１に識別情報の要求を行い、取得された識別情報を記憶部７に記憶させる。そして、制御部１０は、録画装置１の識別情報を通信部８を用いてスマートフォン１１に送信し、制御部１９は取得した識別情報を記憶部１７に記憶させる。そして、制御部１９は、録画装置１とスマートフォン１１の各識別情報を無線アクセスポイント２０及びインターネット２１を介してサーバ２３に送る。これにより、各識別情報に対応してサーバ２３に記憶された経過時間はリセットされる。
【００７４】
そして、ステップＳ１５で、制御部１０は、電源部９を制御してオフとする。
【００７５】
また、ステップＳ１３で、以前にペアリング処理をしたスマートフォン１１と通信不可能であると判定された場合は（ステップＳ１３のＮ）、ステップＳ１６に進み、制御部１０は、所定の終了時刻になったかを判定する。所定の終了時刻は、ステップＳ１１での所定の時刻から所定の経過時間後（例えば５分後）の時刻とする。所定の終了時刻になっていなければ（ステップＳ１６のＮ）、ステップＳ１３に戻る。一方、所定の終了時刻になっていれば（ステップＳ１６のＹ）、そのまま制御部１０は電源部９の電源をオフとさせる（ステップＳ１５）。
【００７６】
このような実施形態によれば、所定時間ごとに録画装置１の電源を起動させ、以前にペアリング処理をしたスマートフォン１１が無線アクセスポイント２０に接続されていれば、自動的に再度ペアリング処理が行われ、サーバ２３での経過時間がリセットされるので、有効期限切れにより宅外配信機能が使用できなくなることを未然に防止できる。特に、録画装置１がWake-On-LAN機能に対応していない場合に有効である。
【００７７】
＜自動ペアリング処理に係る第３実施形態＞
上記第２実施形態の変形例として、上記図４で示した録画装置１の電源を起動させるステップＳ１１の所定時刻は、出力部５に接続されたモニタ等に表示されるメニュー画面においてユーザが操作部６によって設定可能としてもよい。
【００７８】
例えば図５に示すように、月曜から日曜までの曜日ごとに時間帯を設定できるようにし、時間帯の開始時間をステップＳ１１の所定時刻とし、時間帯の終了時刻をステップＳ１６の終了時刻とする。例えば図５で水曜であれば、２０時をステップＳ１１の所定時刻とし、２３時をステップＳ１６の終了時刻とする。つまり、水曜日の２０時になると録画装置１の電源が起動され、最長２３時まで電源は起動したままスマートフォン１１の検出を試みることになる。
【００７９】
このようにすれば、宅内でユーザがスマートフォン１１を使用する可能性の高い時間帯（帰宅時間帯など）を設定すれば、自動的に再度ペアリング処理され易くなる。なお、曜日に関わらない毎日の設定として、時間帯のみを設定できるようにしてもよい。また、曜日ではなく、１か月間の日付ごとに時間帯を設定できるようにしてもよい。
【００８０】
＜自動ペアリング処理に係る第４実施形態＞
第３実施形態では録画装置１の電源を起動させる時間帯を手動で設定できるようにしたが、算出によって設定できるようにしてもよい。
【００８１】
より具体的には、例えば、上述した手動によるペアリング処理の際にそのときの時刻を録画装置１の記憶部７に記憶させ、記憶された時刻に基づいて録画装置１の電源を起動させる時間帯を制御部１０が算出する。例えば、記憶されたペアリング処理のときの時刻を含むような１時間幅の時間帯を算出してもよいし、その時間帯の更に前後１時間を加えた時間帯を算出してもよい。例えば、ペアリング処理のときの時刻が１８時４５分であったとして、１８時から１９時まで、または１７時から２０時までという時間帯が算出される。なお、算出された時間帯に加えて、ペアリング処理の際の曜日を加えて設定してもよい。
【００８２】
また、以前にペアリング処理を行ったときの無線アクセスポイント２０にスマートフォン１１が接続されたことを制御部１９が検出すると、そのときの時刻を録画装置１へ送信し、取得された時刻に基づき制御部１０が時間帯を算出してもよい。なお、算出された時間帯に加えて、上記検出の際の曜日を加えてもよい。
【００８３】
これにより、スマートフォン１１を宅内で使用する時間帯を予測し、自動的に再度ペアリング処理され易くすることができる。
【００８４】
＜自動ペアリング処理に係る第５実施形態＞
本実施形態は、第２〜第４実施形態に適用されるものである。ここでは、ペアリング処理が行われた際に録画装置１の制御部１０によって経過時間の計時を開始し、有効期限の所定期間前（例えば２週間前）に達すると、それ以降、図４に示した処理を行うようにする。これにより、有効期限が近付いた際に強制的に再度のペアリング処理を行わせることができる。
【００８５】
または、有効期限が近付いた際には図４のステップＳ１１の所定時刻の時間間隔を短くしてもよい。例えば有効期限の所定期間前に達する前はステップＳ１１の所定時刻は１時間間隔であるが、所定期間前に達した後は３０分間隔とするなどである。
【００８６】
以上、本発明の実施形態について説明したが、本発明の趣旨の範囲内であれば、実施形態は種々の変更が可能である。
【００８７】
例えば、ペアリング処理については、親機と子機の両方が互いの識別情報を取得する必要は必ずしもなく、一方のみが他方の識別情報を取得する形態でもよいし、いずれも取得せずにサーバのみに識別情報の関連付けが記憶されてもよい。また、サーバも必須ではなく、親機側で子機の識別情報と有効期限に対する経過時間を管理してもよい。
【００８８】
また例えば、上述したような無線による通信を行う通信部８及び１８をそれぞれ備えた録画装置１とスマートフォン１１において、図６に示すように、それぞれＵＳＢ（Universal Serial Bus）インタフェース部３１、３２を更に備えるようにしてもよい。この場合、ＵＳＢインタフェース部３１、３２同士がＵＳＢケーブル４０によって有線接続されると、これを検知した制御部１０と制御部１９との間でＵＳＢケーブル４０を介した識別情報の授受を行ってペアリング処理を自動的に行うようにする。
【符号の説明】
【００８９】
１  録画装置
２  チューナ部
３  データ処理部
４  記録部
５  出力部
６  操作部
７  記憶部
８  通信部
９  電源部
１０  制御部
１１  スマートフォン
１２  通信部
１３  カメラ部
１４  表示部
１５  音声入出力部
１６  操作部
１７  記憶部
１８  通信部
１９  制御部
２０  無線アクセスポイント
２１  インターネット
２２  無線アクセスポイント
２３  サーバ
３１、３２  ＵＳＢインタフェース部
４０  ＵＳＢケーブル
【図１】
2017022562.tif 000003
【図２】
2017022562.tif 000004
【図３】
2017022562.tif 000005
【図４】
2017022562.tif 000006
【図５】
2017022562.tif 000007
【図６】
2017022562.tif 000008